(57)【要約】【課題】  デジタル用チューナ側で発生するスプリアスに対してアナログＴＶ放送受信時における受信品位の低下を抑止ないしは軽減可能とする放送受信装置を提供する。【解決手段】  地上デジタルＴＶ放送と地上アナログＴＶ放送をそれぞれ受信するデジタル用チューナ４とアナログ用チューナ７とを有し、ＣＰＵ１１のＬＵＴ１７には地上デジタル復調・訂正部１４のデジタル処理系で発生し、地上アナログＴＶ放送を受信した場合、その映像に影響を及ぼすスプリアス成分の情報が格納されている。そして、ＣＰＵ１１は、地上アナログＴＶ放送を受信する状態に設定された場合、ＬＵＴ１７の情報を参照して、スプリアス成分による影響を受ける場合には地上デジタル復調・訂正部１４の動作を停止させる等して受信品位の低下の抑止等の制御を行う。【選択図】  図１
2006173788.tif 000002
【特許請求の範囲】
【請求項１】
アンテナで受信された地上デジタルＴＶ信号の選局及び復調を行う第１の選局＆復調手段と、
アンテナで受信された地上アナログＴＶ信号の選局及び復調を行う第２の選局＆復調手段と、
前記第１の選局＆復調手段から、前記アナログＴＶ信号の放送周波数帯域内にスプリアス成分を持ち、少なくとも表示される映像に影響を及ぼすスプリアス情報を格納したスプリアス情報格納手段と、
少なくとも前記第２の選局＆復調手段により選局されたチャンネルで前記地上アナログＴＶ信号を受信する場合、前記スプリアス情報格納手段に格納された前記スプリアス成分の情報を利用して、前記チャンネルの映像に影響を及ぼすスプリアスを抑止ないしは軽減する制御を行う制御手段と、
を具備したことを特徴とする放送受信装置。
【請求項２】
前記制御手段は、前記第２の選局＆復調手段により地上アナログＴＶ信号に対して選局されたチャンネルで受信する場合、前記スプリアス情報格納手段に格納された前記スプリアス情報により、前記チャンネルの映像に影響を及ぼすスプリアス成分が有るか否かを判定することを特徴とする請求項１に記載の放送受信装置。
【請求項３】
前記制御手段は、前記第２の選局＆復調手段により地上アナログＴＶ信号に対して選局されたチャンネルで受信する場合、前記スプリアス情報格納手段に格納された前記スプリアス情報を参照して、前記チャンネルの映像に影響を及ぼすスプリアス成分が有ると判定した場合には、前記第１の選局＆復調手段側における少なくとも前記スプリアス成分の発生源を含む回路系の動作を停止させる制御を行うことを特徴とする請求項１に記載の放送受信装置。
【請求項４】
前記制御手段は、前記第２の選局＆復調手段により地上アナログＴＶ信号に対して選局されたチャンネルで受信する場合、前記スプリアス情報格納手段に格納された前記スプリアス情報により、前記チャンネルの映像に影響を及ぼすスプリアス成分が有ると判定し、かつ地上デジタルＴＶ信号の受信も行う場合には、前記チャンネルの選局を行う前記第２の選局＆復調手段による選局の周波数調整の制御を行うことを特徴とする請求項１に記載の放送受信装置。
【請求項５】
前記制御手段は、前記第２の選局＆復調手段により地上アナログＴＶ信号に対して選局されたチャンネルで受信する場合、前記チャンネルがその地域において実際に受信可能なチャンネルか否かを判定することを特徴とする請求項１又は２に記載の放送受信装置。
【請求項６】
地上デジタルＴＶ放送と地上アナログＴＶ放送との受信が可能な放送受信装置により、地上アナログＴＶ放送を受信する状態であるか否かを判定する第１のステップと、
前記第１のステップにより、地上アナログＴＶ放送を受信する状態であると判定した場合には、前記地上デジタルＴＶ放送を受信するデジタル回路系がスプリアスを与えるか否かの情報を予め格納した情報格納手段による前記情報を参照する第２のステップと、
前記情報を参照することにより地上アナログＴＶ放送に対して選局されたチャンネルの映像にスプリアスの影響が有るか否かを判定する第３のステップと、
前記第３のステップにより、前記スプリアスの影響が有ると判定した場合には、前記スプリアスを発生するデジタル回路系の動作を停止させるか又は地上アナログＴＶ放送を受信する選局周波数の調整を行う第４のステップと、
を具備したことを特徴とする放送受信装置による受信方法。
【発明の詳細な説明】
【技術分野】
【０００１】
本発明は、地上デジタルＴＶ信号と地上アナログＴＶ信号とを受信する放送受信装置に関する。
【背景技術】
【０００２】
国内の地上デジタル放送は、２０１１年度まで、混信対応や、従来の地上アナログＴＶ受信機を保有したユーザーへの対応から、現地上アナログ放送とのサイマルキャスト（同時放送）となっている。  
このため、２０１１年頃までは、市販されるＴＶ受信機は、両信号を受信できるように地上デジタル放送受信用とアナログ放送受信用の２種類のチューナが搭載されることになる。  
地上デジタル用チューナと地上アナログ用チューナの２種類を搭載する場合、アンテナにより受信される信号は、一般的には分配器を介して分配される。  
分配器の仕様に関してはコスト的な観点からどちらかのチューナに配置するのがベターで有り、また将来的な観点からデジタルチューナ側に配置した方が良い。
【特許文献１】特開２００３−２８３３５０号公報
【発明の開示】
【発明が解決しようとする課題】
【０００３】
しかし、上記のように分配器を介して両チューナが接続される場合や、特に分配器をデジタル用チューナ側に配置した場合には、デジタル用チューナ側のデジタル復調部等におけるデジタル処理系から発生する様々なノイズ源がアナログ用チューナ側にスプリアスとして影響を与える可能性が有る。また、両チューナの配置によっては、分配器が別々の場合においても、デジタル用チューナ側のデジタル復調部等におけるデジタル処理系から発生する様々なノイズ源がアナログ用チューナ側にスプリアスとして影響を与える可能性が有る。  
アナログ用チューナ側を用いて受信するチャンネルの選局を行い、選局されたチャンネルの映像を表示した場合、そのチャンネルの（実質的な）周波数帯域内に、スプリアス成分の周波数が存在する場合には、映像画面に縞となって現れ、受信品位を低下させる欠点がある。
【０００４】
一方、特開２００３−２８３３５０号公報の従来例では、上記のように地上デジタル用チューナと地上アナログ用チューナを搭載した場合、一方の放送波の受信状態から他方の放送波の受信への切替時に、一方の放送波を受信する放送受信部の局部発振周波数を干渉が生じない周波数に変更する制御を行うことを開示している。  
この従来例では、上記のように両チューナを搭載し、デジタル放送波とアナログ放送波の周波数帯域が略同じである場合には、一方のチューナ側で発生している局部発振周波数が他方の放送波の周波数における受信しようとする周波数に近似する等して、両チューナ間の干渉による受信障害が発生する可能性があるとして、その干渉を受け難くするために、上記のように一方の放送波から他方の放送波への受信の切替時に、一方の局部発振周波数を干渉が生じない周波数に変更する制御を行うようにする。
【０００５】
しかし、この従来例の制御内容では、（両チューナの両選局部に起因するものでなくて）上述したデジタル用チューナ側のデジタル復調部等におけるデジタル処理系から発生する様々なノイズ源に起因するスプリアスに対しては、それを抑止ないしは軽減する機能を有しない欠点がある。
【０００６】
（発明の目的）
本発明は上述した点に鑑みてなされたもので、デジタル用チューナ側のデジタル処理系によるスプリアスに対応してアナログ放送受信時における受信品位の低下を防止ないしは軽減可能とする放送受信装置を提供することを目的とする。
【課題を解決するための手段】
【０００７】
本発明の放送受信装置は、アンテナで受信された地上デジタルＴＶ信号の選局及び復調を行う第１の選局＆復調手段と、
アンテナで受信された地上アナログＴＶ信号の選局及び復調を行う第２の選局＆復調手段と、
前記第１の選局＆復調手段から、前記アナログＴＶ信号の放送周波数帯域内にスプリアス成分を持ち、少なくとも表示される映像に影響を及ぼすスプリアス情報を格納したスプリアス情報格納手段と、
少なくとも前記第２の選局＆復調手段により選局されたチャンネルで前記地上アナログＴＶ信号を受信する場合、前記スプリアス情報格納手段に格納された前記スプリアス成分の情報を利用して、前記チャンネルの映像に影響を及ぼすスプリアスを抑止ないしは軽減する制御を行う制御手段と、
を具備したことを特徴とする。  
上記構成により、少なくとも前記第２の選局＆復調手段により選局されたチャンネルで前記地上アナログＴＶ信号を受信する場合、前記スプリアス情報格納手段に格納された前記スプリアス成分の情報を利用することにより、前記チャンネルの映像に影響を及ぼすスプリアスを抑止ないしは軽減する制御を行うことが可能となるようにしている。
【発明の効果】
【０００８】
本発明によれば、地上アナログＴＶ信号を受信する場合、選局されたチャンネルの映像に影響を及ぼすスプリアス成分が存在しても、その影響を抑止ないしは軽減して受信することが可能となる。
【発明を実施するための最良の形態】
【０００９】
以下、図面を参照して本発明の実施例を説明する。  
【実施例１】
【００１０】
図１ないし図４は本発明の実施例１に係り、図１は本発明の実施例１の放送受信装置の全体構成を示し、図２は地上アナログＴＶ放送の周波数帯にスプリアス成分を持つ周波数例を示し、図３は図２におけるスプリアス成分を持つ周波数が実際の放送チャンネルの映像信号に妨害を与えるかの評価例等を示し、図４は本実施例における選局を行った場合におけるスプリアス抑止を行う方法の内容を示す。  
図１に示すように本発明の実施例１の放送受信装置１は、地上デジタルＴＶ信号と地上アナログ信号とを受信するアンテナ２と、このアンテナ２と接続された分配器３を内蔵し、地上デジタルＴＶ信号に対する選局及び復調を行う第１の選局＆復調手段としてのデジタル用チューナ４及び信号処理部５を備えたチューナ＆処理部６とを有する。
【００１１】
また、この放送受信装置１は、前記分配器３と接続され、地上アナログＴＶ信号に対する選局及び復調を行う第２の選局＆復調手段としてのアナログ用チューナ７と、前記信号処理部５により生成された映像信号が入力されることにより、対応する映像（画像）を表示する映像ディスプレイ８と、前記信号処理部５により生成された音声信号が入力されることにより、音声を再生するスピーカ９とを有する。  
また、この放送受信装置１は、地上デジタルＴＶ信号及び地上アナログＴＶ信号から任意の放送チャンネルの周波数のＴＶ信号の選局の指示操作等を行う指示操作手段としてのリモコン送信機（リモコンと略記）１０と、このリモコン１０による選局等の指示操作に対応して、選局制御等を行うＣＰＵ１１を有する。
【００１２】
上記デジタル用チューナ４は、地上デジタルＴＶ信号における放送チャンネルの周波数のデジタルＴＶ信号の選局を行う周波数選局部１３と、この周波数選局部１３から入力される選局された周波数の地上デジタルＴＶ信号に対する復調処理、つまり直交周波数分割多重（Orthogonal Frequency Division Multiplexing  ＯＦＤＭと略記）復調及びエラー訂正を行い、復調された映像信号等を信号処理部５に出力する地上デジタル復調・訂正部１４とを有する。  
また、上記アナログ用チューナ７は、地上アナログＴＶ信号における放送チャンネルの周波数のアナログＴＶ信号の選局を行う周波数選局部１５と、この周波数選局部１５から入力される選局された周波数のアナログＴＶ信号に対して復調を行い、復調された映像信号を上記信号処理部５に出力する地上アナログ復調部１６とを有する。
【００１３】
上記信号処理部５は、デジタル用チューナ４側或いはアナログ用チューナ７側から入力される信号に対して、ＣＰＵ１１の制御下で、リモコン１０等を介してユーザーから指示された側のＴＶ信号に対して分離された映像信号及び音声信号等を生成する信号処理を行い、映像ディスプレイ８及びスピーカ９に出力する。また、この信号処理部５がいずれのチューナ側に対する信号処理を行っているかをＣＰＵ１１は判定できるようにしている。  なお、信号処理部５は、両方のチューナ４、７側から同時に復調された信号が入力される同時受信の場合にも対応することができるようにしても良い（図４の動作説明では、この場合で説明している）。
【００１４】
本実施例においては、上記ＣＰＵ１１は、少なくとも地上アナログＴＶ信号を受信する場合、主にデジタル用チューナ４側からデジタル処理する際に必要となるクロック等がノイズ源としてアナログ用チューナ７側にスプリアスとして影響を及ぼすことを抑止する制御手段としての機能も有する。  
このため、地上アナログＴＶ信号の全放送周波数帯域に対してデジタル用チューナ４側からＯＦＤＭ復調等のデジタル処理する際に必要となるクロック等がノイズ源としてアナログ用チューナ７側にスプリアスとして妨害を与える可能性があると判定されたスプリアス成分の全周波数の情報が予め調べられている。
【００１５】
このようにスプリアスの妨害を与える可能性があると判定されたスプリアス成分の全周波数の情報は、例えばＣＰＵ１１の内部の不揮発性のメモリ等で構成されたルックアップテーブル（ＬＵＴと略記）１７に格納されている。  
そして、少なくともこの放送受信装置１が、地上アナログＴＶ信号側を受信する状態に設定されている場合、或いは地上アナログＴＶ信号側を受信する入力操作がされた場合には、ＣＰＵ１１は、ＬＵＴ１７に格納されているスプリアスとして妨害を与える可能性があると判定されたスプリアス成分の情報を参照する。  
ＣＰＵ１１は、その選局された地上アナログＴＶ信号の周波数帯に該当するスプリアス成分の有無を判定し、スプリアス成分が有ると判定した場合には、地上デジタル復調・訂正部１４の動作を停止させる等してスプリアス抑止を行うようにしている。
【００１６】
また、ＣＰＵ１１は、その選局された地上アナログＴＶ信号の周波数帯に該当するスプリアス成分の有無を判定し、スプリアス成分が有ると判定した場合において、さらに地上デジタルＴＶの放送も受信する場合には、アナログ用チューナ７の周波数選局部１５による選局の周波数にオフセットを与え、そのスプリアス成分による影響を軽減する制御を行う。  
なお、この場合は、最初の使用状態において手動により、アナログ用チューナ７の周波数選局部１５を調整し、最もスプリアス成分による影響を軽減できる周波数に設定する作業を行い、設定後に、その選局周波数の情報をＬＵＴ１７に保存する。そして、以後は、この状態に設定されたことを判定した場合、ＣＰＵ１１は、ＬＵＴ１７に格納された上記選局周波数の情報を参照して、アナログ用チューナ７の周波数選局部１５を自動的にその選局周波数に設定する制御動作を行う。
【００１７】
また、地上アナログＴＶ放送は、日本国内の各地域に応じて、実際に放送がされている周波数帯或いはチャンネルが異なるため、各地域で実際に放送に使用されている放送チャンネル（周波数帯）の情報が地域コード（地域番号）に関連付けて、例えばＬＵＴ１７に格納されている。  
そして、ユーザーが、そのユーザーが住む地域に対応する地域コードをリモコン１０から入力操作して地域コードの登録を行うことにより、ＣＰＵ１１は、その地域で実際に受信可能となる全ての放送チャンネルの情報を把握する。  
これにより、ユーザーがリモコン１０を用いて放送チャンネルを選択する操作、つまり選局の操作を行う場合、ＣＰＵ１１は、その地域で実際に受信可能となる放送チャンネルのみを選択できるようにする。従って、地域が異なる場合においても、共通の放送受信装置１を用いた場合にも、地域コードの登録を行うことにより、各地域において所望とする放送チャンネルを効率良く選択することができる。
【００１８】
本実施例においては、この地域コードの登録の設定操作が行われている場合には、ＣＰＵ１１は、その情報も利用して図４で後述するようにスプリアス抑止の制御動作を行うようにしている。  
また、本実施例においては、ＬＵＴ１７に格納されたスプリアス成分に関する情報を利用してスプリアス抑止を行う制御プログラムが、例えばＣＰＵ１１内のＲＯＭ１８に格納されており、ＣＰＵ１１は、放送受信装置１の電源がＯＮされて動作状態になると、このＲＯＭ１８に格納された制御プログラムを読み出し、この制御プログラムに従って図４に示すようなスプリアス抑止の制御動作を行う。
【００１９】
次に本実施例の動作を説明する。まず、放送チャンネル帯に妨害を与える可能性があるスプリアス成分の周波数の情報及びこれに該当する放送チャンネルの情報をＬＵＴ１７に格納する動作を説明する。  
上記の情報をＬＵＴ１７に格納するためには、地上アナログＴＶ放送の全放送周波数帯域に対してデジタル用チューナ４側からＯＦＤＭ復調等のデジタル処理する際に必要となるクロック等がノイズ源としてアナログ用チューナ７側にスプリアス妨害を与える可能性のあるスプリアス成分の全周波数の情報を調べる必要がある。  
図２は、上記の情報をＬＵＴ１７に格納するために、前もって調べられたスプリアス成分に関する情報の具体例を示す。
【００２０】
図２の表内において、最も左の列が、地上アナログＴＶ放送の周波数帯（ここではＶＨＦ帯の１１５ＭＨｚ付近からＵＨＦ帯の８００ＭＨｚ付近）に対して、スプリアスとなる可能性のある各スプリアス成分の各周波数を示し、これらの各周波数は、その左側の基準クロック（ＣＬＫ）や、位相変調（ＰＳＫ）復調及びＯＦＤＭ復調のシリアル／パラレル変換に使用されるクロック等、地上デジタル復調・訂正部１４側でのデジタル処理に起因する。  
また、これら各スプリアス成分の各周波数は、その周波数付近の地上アナログＴＶ放送の放送周波数帯域内の（実際に映像表示に使用される）映像信号帯域内に含まれるか否かを以下に説明するように評価することにより、そのスプリアス成分がその放送周波数帯域の映像に妨害を与えるか否かを判定することができる。
【００２１】
図３は、図２における例えばスプリアス成分の周波数が５００．５７２ＭＨｚの場合と、５１９．８２５ＭＨｚ及び５３９．０８４ＭＨｚの場合に対して、それらの周波数に最も近い地上アナログ放送チャンネル（図３ではｃｈと略記）、各チャンネルの帯域幅（ＢＷ）の下側周波数及び上側周波数、映像周波数（ｆｐ）、スプリアス成分の周波数によるビート成分等を示す。
【００２２】
また、これより右側の欄は、各チャンネルに該当する実在の放送局例と、図４により説明するスプリアスの影響を抑止あるいは軽減して受信する場合の動作の概要を示す。  
図３において、スプリアス成分の周波数（ｆｓとする）が５００．５７２ＭＨｚの場合には、ＵＨＦ帯のＵ１８の放送チャンネルの帯域幅に含まれるが、この周波数の場合にはそのビート成分が、ｆｓ−ｆｐ＝５００．５７２−５０１．２５＝−０．６７８（ＭＨｚ）と負となり、ｆｐより上側となる映像の全成分の再生に必要な帯域内には、この周波数ｆｓが含まれないため、この周波数ｆｓのスプリアス成分は妨害を与えない。  
これに対して、スプリアス成分の周波数ｆｓが５１９．８２５ＭＨｚ及び５３９．０８４ＭＨｚの場合には、以下のようにｆｓ−ｆｐのビート成分が正となる。
【００２３】
つまり５１９．８２５ＭＨｚの場合には、Ｕ２１の放送チャンネルの帯域幅に含まれ、その場合にはビート成分がｆｓ−ｆｐ＝５１９．８２５−５１９．２５＝０．５７５（ＭＨｚ）となり、ｆｐより上側となる映像の全成分の再生に必要な帯域内に、このスプリアス成分の周波数ｆｓが含まれるため、この周波数ｆｓのスプリアス成分は妨害を与える可能性がある。  
また、同様に５３９．０８４ＭＨｚの場合には、Ｕ２４の帯域幅に含まれ、その場合にはｆｓ−ｆｐ＝５３９．０８４−５３７．２５＝１．８３４（ＭＨｚ）となり、ｆｐより上側となる映像の全成分の再生に必要な帯域内に、このスプリアス成分の周波数ｆｓが含まれるため、この周波数ｆｓのスプリアス成分も妨害を与える可能性がある。  
図３では図２のスプリアス成分における一部の周波数に対して、その周波数が放送チャンネルの映像信号に妨害を与えるかの判定例を示しているが、図２における他のスプリアス成分の周波数の場合にも同様に判定することができる。そして、このように調べた結果が図２の表の外の左側に記されている。
【００２４】
本実施例では、このようにして調べた結果から、放送チャンネルを選局して映像ディスプレイ８に映像を表示する場合、その映像に妨害を与える可能性があるスプリアス成分の周波数（具体的には、５１９．８２５ＭＨｚ、５３９．０８４ＭＨｚ等）の情報あるいはその周波数が妨害を与える放送チャンネル（具体的には、Ｕ２１、Ｕ２４等）の情報がＬＵＴ１７に格納される。つまり、ＬＵＴ１７には、スプリアス情報が格納される。  
なお、ＬＵＴ１７にスプリアス情報を格納する場合、例えばスプリアス成分の周波数が妨害を与えると判定された地上アナログＴＶ放送の放送チャンネルの情報（Ｕ２１等）と関連付けて、例えば”Ｕ２１−妨害あり”のように格納することが望ましい。このように格納すると、選局したチャンネルの情報から妨害ありか否かをＬＵＴ１７に格納された全ての情報を検索しなくても必要とされる情報を簡単に読み出すことができる。
【００２５】
また、スプリアス成分が妨害を与えない情報、例えば”Ｕ１８−妨害なし”のような情報もＬＵＴ１７に格納するようにしても良い。なお、ここで、妨害あり、妨害なしの情報等を、コード化して格納すると、記憶容量を低減できる。  
また、ＣＰＵ１１は、ユーザーによる入力操作により、地域コードが登録されている場合には、選局されたチャンネルがその地域で実際に放送に使用されているチャンネンか否かを判定する。そして、ＣＰＵ１１は、その判定結果に応じたスプリアス抑止の制御動作を行う。  
次に図４に示すフローチャートを参照して、地上アナログＴＶ放送を受信する場合及び両放送を同時に受信する場合におけるスプリアスを抑制する制御方法を説明する。
【００２６】
図１に示す放送受信装置１の電源を投入することにより、ＣＰＵ１１は動作状態になり、ＣＰＵ１１は、ＲＯＭ１８に格納された制御プログラムを読み込む。そして、最初のステップＳ１において、初期状態が地上アナログＴＶの受信状態か否かの判定を行う。  
ＣＰＵ１１は、例えば前回終了時の選局を含む受信状態の情報を図示しないメモリ等に記憶しており、初期状態としてその状態を継続するように制御動作を行う。また、ＣＰＵ１１は、初期状態が地上アナログＴＶの受信状態か否かの判定もする。  
そして、地上アナログＴＶの受信状態でない場合には、地上デジタルＴＶの受信状態であるため、スプリアス成分の抑制には関係ないため、ＣＰＵ１１は、ステップＳ２に示すように地上アナログＴＶの受信（或いは選局）の入力操作待ちの状態になる。
【００２７】
ステップＳ１において、地上アナログＴＶの受信状態である場合、或いはＳ２において、地上アナログＴＶの受信の入力操作があった場合にはステップＳ３に進み、ＣＰＵ１１は、その状態における選局されたチャンネルの情報（Ｕ１８、Ｕ２１等）の取り込みを行う。  
また、ＣＰＵ１１は、次のステップＳ４において、ＬＵＴ１７から上記チャンネルの情報に該当するアスプリアス成分の周波数が有るか否かの判定を行う。つまり、ＣＰＵ１１は、ＬＵＴ１７に格納されたスプリアス情報を参照して、選局された放送チャンネルの周波数帯に妨害を与える可能性があるスプリアス成分の周波数が有るか否かをサーチする。  そして、そのサーチの結果、ステップＳ５に示すように妨害を与える可能性のスプリアス成分の周波数が有るか否かを判定する。
【００２８】
この場合、例えば選局されたチャンネルの情報がＵ２１であるとすると、ＬＵＴ１７にはスプリアス成分の周波数が５１９．８２５ＭＨｚのものが格納されているため、有りと判定されることになる。一方、該当する周波数のものが無いと判定した場合には、そのチャンネルに対しては、デジタル用チューナ４側を動作状態に設定してもスプリアスを及ぼさないのでスプリアス抑止の処理を終了する。  
ステップＳ５の判定により、該当するスプリアス成分の周波数がある場合には、次のステップＳ６において、ＣＰＵ１１は、上記選局されたチャンネルが地域コードに対応したチャンネルか否かの判定を行う。つまり、地域コードが登録されている場合には、上記選択されたチャンネルは、その地域で実際に受信可能な放送チャンネルであるため、ＹＥＳと判定され、次のステップＳ７に移ることになる。
【００２９】
これに対して、地域コードに対応していないで、その地域では放送されていないチャンネルである場合には、そのチャンネルに対してスプリアス抑止を行う必要性が少ないので、この処理を終了する。  
ステップＳ７においてＣＰＵ１１は、さらに地上デジタルＴＶの受信も（地上アナログＴＶの受信と）同時に行うか否かの判定を行う。そして、地上デジタルＴＶの受信を行わない場合には、次のステップＳ８に進む。  
このステップＳ８における受信状態では、地上アナログＴＶ放送側のみを受信する状態であるので、本実施例においてＣＰＵ１１は、受信状態ではないデジタル用チューナ４側の動作を停止させ、これによりデジタル用チューナ４内の地上デジタル復調・訂正部１４の動作に起因するスプリアス発生を抑止する。
【００３０】
この場合、妨害を与える既知のスプリアス成分の周波数が発生しないように、少なくともその周波数を発生するデジタル回路系を含む部分の動作を停止させれば良いが、地上デジタルＴＶの受信を行わない場合には地上デジタル復調・訂正部１４やデジタル用チューナ４の動作を、電源の供給をＯＦＦにする等して停止させるようにしても良い。このように（地上アナログＴＶの受信の動作に影響を及ぼさない範囲で）より広い回路系への電源の供給をＯＦＦにすることにより省電力化することができて好都合となる。  
また、さらに信号処理部５におけるデジタル用チューナ４側に対する信号処理を行う部分の動作も停止させるようにしても良い。
【００３１】
従って、この状態で受信され、映像ディスプレイ８に表示される地上アナログＴＶの映像は、スプリアスが抑止された受信品位の良好なものとなる。このように本実施例においては、地上アナログＴＶ側の放送のみを受信する場合、デジタル用チューナ４側でスプリアスを発生する環境においても、その動作を停止させるため、その影響を受けることなく受信できる。  
一方、ステップＳ７において、地上デジタルＴＶの受信を行う場合には、ステップＳ９に移る。  
このステップＳ９における受信状態では、地上デジタルＴＶと地上アナログＴＶとの両放送を受信する状態であるので、ステップＳ８のようにデジタル用チューナ４側の動作を停止させることはできない。  
本実施例においては、上述したようにＣＰＵ１１は、アナログ用チューナ７の周波数選局部１５の選局周波数を調整、つまりオフセットを与えてスプリアス成分による影響を軽減できる選局周波数に設定する制御を行う（上述したように最初は、手動で調整することになる）。
【００３２】
従って、本実施例によれば、地上デジタルＴＶと地上アナログＴＶとの両放送を同時に受信する場合にもスプリアス成分による影響を軽減して受信することができる。つまり、この場合のように、地上デジタルＴＶと地上アナログＴＶとの両放送の映像を同時に表示したり、ＶＴＲ，ＤＶＤレコーダ等の映像記録装置に記録する場合にも受信品位の低下を軽減できる。  
このように動作する本実施例によれば、地上アナログＴＶ放送を受信する場合、地上デジタルＴＶ放送を受信するための地上デジタル復調・訂正部１４のデジタル処理系により主に起因するスプリアス成分の影響を簡単に抑止あるいは軽減して受信することができる。  
なお、本発明の放送受信装置は、例えばパーソナルコンピュータに地上デジタルチューナ及び地上アナログ用チューナを搭載し、そのディスプレイに地上デジタル放送及び地上アナログ放送の映像を表示することが可能にした構成にも適用でき、従ってそのような場合も本発明に属する。
【図面の簡単な説明】
【００３３】
【図１】本発明の実施例１の放送受信装置の全体構成を示すブロック図。
【図２】地上アナログＴＶ放送の周波数帯にスプリアス成分を持つ周波数例を示す図。
【図３】図２におけるスプリアス成分を持つ周波数が実際の放送チャンネルの映像信号に妨害を与えるかの評価例を示す図。
【図４】本実施例における選局によりスプリアスの影響を抑止ないしは軽減する方法の内容を示すフローチャート。
【符号の説明】
【００３４】
１…放送受信装置
２…アンテナ
３…分配器
４…デジタル用チューナ
５…信号処理部
６…チューナ＆処理部
７…アナログ用チューナ
８…映像ディスプレイ
９…スピーカ
１０…リモコン（送信機）
１１…ＣＰＵ
１３…周波数選局部
１４…地上デジタル復調・訂正部
１５…周波数選局部
１６…地上アナログ復調部
１７…ＬＵＴ
１８…ＲＯＭ
代理人    弁理士    伊藤  進
【図１】
2006173788.tif 000003
【図２】
2006173788.tif 000004
【図３】
2006173788.tif 000005
【図４】
2006173788.tif 000006